Podtech/llm-jp-corpus-v4-ja_patent huggingface dataset:
(57)【要約】      （修正有）【課題】伸長自在な鋼材からなる簡易な構造体で、平常時は水害対応型堤防ユニットの内部に格納されているが津波や洪水（河川の氾濫）などの水害発生時に上方に伸長させて津波や洪水（河川の氾濫）などを堰き止める機能を有した水害対応型堤防を提供する。【解決手段】水害対応型堤防ユニット１と伸長自在な鋼材からなる簡易な構造体２は、津波や洪水（河川の氾濫）などにより海水や川水が堤防ユニット１にある下方の金網仕様の給水口１１から侵入して、簡易な構造体２が水圧により上方に伸長するとともに、簡易な構造体２の排水口２１から排水すると同時に内部の空気も外部に排出するとともに、堤防ユニット１の底部アンカー１２を所定深さの地中に埋め込むことにより強固な構造となっている。【選択図】図１
0003211727.tif 000002
【実用新案登録請求の範囲】
【請求項１】
津波や洪水（河川の氾濫）などの水害発生時に、堤防ユニットと内部に格納されている伸長自在な鋼材からなる簡易な構造体に海水や川水などが浸入することにより上方に伸長させて津波や洪水（河川の氾濫）などを堰き止めることで水没する危険を回避できる特徴をもつ水害対応型堤防。
【考案の詳細な説明】
【技術分野】
【０００１】  本考案は、津波や洪水（河川の氾濫）などの水害発生時において、海岸沿いや川岸沿いの津波や洪水（河川の氾濫）などを堰き止める機能を有した水害対応型堤防に関するものである。
【背景技術】
【０００２】  津波や洪水（河川の氾濫）などの水害発生時において、海岸付近や川岸付近の低地では、ごく短時間で水没することにより、多くの人命を失う危険があるとともに各種施設（建造物等）が崩壊する等の大惨事が発生する。
【先行技術文献】
【０００３】
【特許文献１】特開２０１６−８４４８号  公報
【考案の概要】
【考案が解決しようとする課題】
【０００４】  本考案は、伸長自在な鋼材からなる簡易な構造体で、平常時は水害対応型堤防ユニットの内部に格納されているが津波や洪水（河川の氾濫）などの水害発生時に上方に伸長させて津波や洪水（河川の氾濫）などを堰き止める機能を有している水害対応型堤防を提供することを目的としている。
【課題を解決するための手段】
【０００５】  本考案は、上記課題を解決するための手段として次の構成を有している。
本考案は、津波や洪水（河川の氾濫）などの水害発生時に適用される水害対応型堤防を対象としている。尚、本考案の名称は水害対応型堤防であるが、以下の説明では水害対応型堤防を単に堤防と表現することがある。【０００６】  本考案に係る水害対応型堤防は、堤防ユニットと内部に格納されている伸長自在な鋼材からなる簡易な構造体に海水や川水などが浸入することにより上方に伸長させて津波や洪水（河川の氾濫）などを堰き止めることを特徴としている。【０００７】  上記の水害対応型堤防は、一単位の堤防ユニットとして、堤防ユニットを順次左右に連続配置するとともに、各堤防ユニット底部のアンカーを所定深さの地中に埋め込んでおくことにより、強固に（倒れないように）できる。【０００８】  上記の水害対応型堤防は、津波や洪水（河川の氾濫）などにより河川用橋からの海水や川水などが侵入を堰き止めるため堤防ユニット底部のアンカーを取り外したものに滑り止めのゴム材を貼り付けた状態のものを河川用橋の侵入箇所に設置するとともに、橋欄干に強靭な帯材等で滑らないよう固定できる。
【考案の効果】
【０００９】  本考案の水害対応型堤防では、津波や洪水（河川の氾濫）などの水害発生時に、堤防ユニットと内部に格納されている伸長自在な鋼材からなる簡易な構造体に海水や川水などが侵入することにより上方に伸長させて津波や洪水（河川の氾濫）などを堰き止めることで水没する危険を回避できるという効果がある。【００１０】  又、本考案の水害対応型堤防では、既存の堤防などに併設で設置できるとともに、機械的な装置の必要がなく、海水や川水などの浸水と排水により自動的に作動するため簡単且つ安価なものを製造がすることできるという効果がある。【００１１】  さらに、本考案の水害対応型堤防では、堤防ユニット底部のアンカーの有無により固定式と移動式の堤防として設置することができるとともに、堤防ユニット仕様のため堤防ユニットの全長（長短の種類）や形状（例えば、正方形、長方形、台形など）のものを製造することができるという効果がある。
【図面の簡単な説明】
【００１２】
【図１】  本考案の水害対応型堤防の上方伸長状態の正面図と側面図
【図２】  海岸沿いや河川沿いに設置された水害対応型堤防の断面図
【考案を実施するための形態】
【００１３】  図１〜図２を参照して本考案の実施例を説明すると、この実施例の水害対応型堤防は、堤防ユニットと内部に格納されている伸長自在な鋼材からなる簡易な構造体に海水や川水などか浸入することにより上方に伸長させて津波や洪水（河川の氾濫）などを堰き止めることができる機能を発揮するものである。
【実施例】
【００１４】  図１〜図２にある水害対応型堤防ユニット１は、海岸沿いや川岸沿いに所定長さの範囲に亘って一列状態で設置するものである。そして、堤防ユニット１と内部に格納されている伸長自在な簡易な構造体２とを基本構成としている。【００１５】  図１〜図２にある水害対応型堤防ユニット１と伸長自在な簡易な簡易な構造体２は、津波や洪水（河川の氾濫）Ｗなどにより海水や川水が堤防ユニット１にある下方の給水口（金網仕様）１１から侵入して、簡易な構造体２が水圧により上方に伸長するとともに、簡易な構造体２の上方の排水口２１から排水すると同時に内部の空気も外部に排出する構造となっている。【００１６】  図１〜図２にある水害対応型堤防ユニット１の底部アンカー１２を所定深さの地中に埋め込むことにより、強固に（倒れないように）した構造となっている。
【符号の説明】
【００１７】  １は水害対応型堤防ユニット、２は伸長自在な簡易な構造体、１１は下方の給水口（金網仕様）、１２は底部アンカー、２１は上方の排水口である。
【図１】
0003211727.tif 000003
【図２】
0003211727.tif 000004
(57)【要約】      （修正有）【課題】収穫作業者の肉体的負担を軽減しようとするものであり、トラクターで運搬されるコンテナに収穫したカボチャを効率よく収納するためのカボチャ収穫機を提供する。【解決手段】カボチャを収穫地点からコンテナ４付近まで移動させるための搬送コンベアー１ａと搬送コンベアーの後部に設けられたローラー付台１ｂからなる搬送ユニット１二組と、これら二組の搬送ユニットを搭載する略長方形の輸送用平パレット３から構成され、二組の搬送ユニット１は、搬送ユニットの長手方向がパレット長辺と平行に位置するように対称に適宜な間隔を設け、かつ、トラクターとの間にコンテナ４を収納するスペースを設けて輸送用平パレット３上に配置される。【選択図】図１
0003211730.tif 000002
【実用新案登録請求の範囲】
【請求項１】
カボチャを収穫地点からコンテナ付近まで移動させるための搬送コンベアーと、前記搬送コンベアーの後部に設けられたローラー付台からなる搬送ユニット二組と、これら二組の前記搬送ユニットを搭載する略長方形の輸送用平パレットから構成され、二組の前記搬送ユニットは、前記搬送ユニットの長手方向が前記パレット長辺と平行に位置するように対称に適宜な間隔を設け、かつ、トラクターとの間に前記コンテナを収納するスペースを設けて前記輸送用平パレット上に配置されてなるカボチャ収穫機。
【考案の詳細な説明】
【技術分野】
【０００１】  本考案は、トラクターで運搬されるコンテナに収穫したカボチャを効率よく収納するためのカボチャ収穫機に関する。
【背景技術】
【０００２】  従来、カボチャの収穫は圃場の中に点在するカボチャを人間が一つ一つ拾い集め、コンテナまで運び、負担のかかる姿勢でコンテナの中に入れていた。
【考案の概要】
【考案が解決しようとする課題】
【０００３】  上記のような収穫方法では、収穫した重いカボチャを持ってコンテナまでいちいち運ぶ必要があり、また重いカボチャを低い位置から背を伸ばしコンテナに入れる必要があるなど、収穫作業者に肉体的負担を強いるものであった。【０００４】  本考案は、収穫作業者の肉体的負担を軽減しようとするものであり、トラクターで運搬されるコンテナに収穫したカボチャを効率よく収納するためのカボチャ収穫機の提供を目的とする。
【課題を解決するための手段】
【０００５】  上記の目的を達成するために本考案は、カボチャを収穫地点からコンテナ付近まで移動させるための搬送コンベアーと搬送コンベアーの後部に設けられたローラー付台からなる搬送ユニット二組と、これら二組の搬送ユニットを搭載する略長方形の輸送用平パレットから構成され、二組の搬送ユニットは、搬送ユニットの長手方向がパレット長辺と平行に位置するように対称に適宜な間隔を設け、かつ、トラクターとの間にコンテナを収納するスペースを設けて輸送用平パレット上に配置されてなることを特徴とするカボチャ収穫機である。
【考案の効果】
【０００６】  本カボチャ収穫機を使用した圃場でのカボチャ収穫作業について以下に説明する。コンテナを積んだカボチャ収穫機をトラクター専用リフトを使用してトラクター後部に搭載し、トラクターをカボチャ定植に使用した平行に並ぶ農業用マルチフィルム間を移動させながら、作業者が農業用マルチフィルム上に点在する収穫されたカボチャを搬送コンベヤー端部に乗せることで、カボチャは自動的にローラー付台に運ばれ、そこで、輸送用平パレット上に搭乗した別の作業者が、ローラー付台からコンテナ内にカボチャを移し入れることで収穫が行われる。【０００７】  このため、従来のように圃場の中に点在するカボチャを持ってコンテナまで運ぶ必要がなく、また、カボチャをローラー付台からコンテナ内に入れる作業も従来の地面からカボチャを持ち上げ背を伸ばしコンテナ内に入れる動作に比べて身体的負担は少ない。
【図面の簡単な説明】
【０００８】
【図１】本考案のカボチャ収穫機を示す外観図である。
【図２】本考案の三人体制での収穫作業を示す概要図である。
【図３】本考案の五人体制での収穫作業を示す概要図である。
【考案を実施するための形態】
【０００９】  本考案のカボチャ収納機は、図１に示すように、カボチャを収穫地点からコンテナ４付近まで移動させるための搬送コンベアー１ａと搬送コンベアー１ａの後部に設けられたローラー付台１ｂからなる搬送ユニット１二組と、輸送用平パレット３から構成されており、これら二組の搬送ユニット１は、搬送ユニット１の長手方向が輸送用平パレット３の長辺と平行に位置するように対称に適宜な間隔、例えば収穫作業人が乗ることができるスペースを設け、かつ、トラクターとの間にコンテナ４を収納するスペースを設けて輸送用平パレット３上に配置される。
【実施例１】
【００１０】  本考案のカボチャ収穫機を用いて作業員三人で収穫していく場合（トラクター運転手は別）の実施例について以下に説明する。図２に示すように、定植に使用した三本の農業用マルチフィルム５のうち、左右二本の農業用マルチフィルム５上にはツルから刈取られたカボチャが置かれており、カボチャが置かれていない中央の農業用マルチフィルム５上をコンテナ４を積んだトラクターが走行する。左右二本の農業用マルチフィルム５に作業員一人ずつを配置し、トラクターの移人動に合わせ歩きながら、搬送コンベヤー１ａ端部の上に農業用マルチフィルム５上に点在するカボチャを乗せていく。残り一人の作業員は、輸送用平パレット３上の二組の搬送ユニット１の間に搭乗し、ローラー付台１ｂに運ばれてきたカボチャをコンテナ４の中に入れる作業を行う。
【実施例２】
【００１１】  次に、作業員五人で収穫していく場合（トラクター運転手は別）の実施例について以下に説明する。図３に示すように、中央の農業用マルチフィルム５上にもツルから刈取られたカボチャが置かれている。この場合、作業員五人の内三人は、中央、右、左、それぞれの農業用マルチフィルム５上のカボチャ収穫を担当し、左右二人の作業員は搬送コンベヤー１ａの端部上に、中央の作業者は輸送用平パレット３上の二組の搬送ユニット１の間に置く。残る作業員二人は、輸送用平パレット３に搭乗し、コンベヤー１ａの端部からローラー付台１ｂに移動してきたカボチャと輸送用平パレット３上に置かれたカボチャの両方をコンテナ４へ入れる作業を行う。
【符号の説明】
【００１２】  １    搬送ユニット
１ａ  搬送コンベアー
１ｂ  ローラー付台
２    発電機
３    輸送用平パレット
４    コンテナ
５    農業用マルチフィルム
【図１】
0003211730.tif 000003
【図２】
0003211730.tif 000004
【図３】
0003211730.tif 000005
(57)【要約】【課題】狭い玄関でも少ないスペースで靴を収納でき、かつスムーズに靴の出し入れができるような、靴ホルダーを提供する。【解決手段】本考案は壁などの鉛直面に取り付けるための靴ホルダーであり、柔軟性のある材質で平らで薄く、左右に長い基本形状を有する本体を、Ｕ字形に歪曲させ、その両端部をネジなどの固定具を用いて壁などの鉛直面に取り付けることで、本体Ｕ字形下部に靴を乗せることができる形態を特徴とする。【選択図】図５
0003211732.tif 000002
【実用新案登録請求の範囲】
【請求項１】
柔軟性のある材質であり、薄く平らで左右に長い形状の本体をＵ字形に歪曲させ、更にその両端部を画鋲やネジなどの固定具を使用して壁などの鉛直面に取り付けることにより本体Ｕ字形の下部に靴を乗せることのできる靴ホルダー。
【請求項２】
柔軟性のある材質であり、薄く平らで左右に長い形状の本体をＵ字形に歪曲させ、更にその両端部を画鋲やネジなどの固定具を使用して壁などの鉛直面に取り付けることにより本体Ｕ字形の下部に物品を乗せることのできるホルダー。
【請求項３】
壁などの鉛直面に複数個並べて配置することができる請求項１記載の靴ホルダー。
【請求項４】
壁などの鉛直面に複数個並べて配置することができる請求項２記載のホルダー。
【考案の詳細な説明】
【技術分野】
【０００１】本考案は壁などの鉛直面に取り付けるための靴ホルダーに関する。
【背景技術】
【０００２】アパートなどの狭い玄関では靴箱などの収納建具を設置するスペースを取りづらく、靴がたくさんある場合は玄関が靴だらけの状態となり、足の踏み場がなくなり、出入りに支障を及ぼすような問題を引き起こしている。【０００３】また、玄関に靴が脱ぎっぱなしであったり、たくさん置かれている状態は見る人にとって玄関が片付けられていない印象を与え、玄関の美観を損ねる原因になっている。【０００４】玄関に靴の収納スペースが確保されている場合であっても靴の出し入れがスムーズに行えない場合、それを行う人は、靴を収納すること自体を面倒に感じてしまい、そのことが靴を玄関に脱いだまま放置してしまうという行動を引き起こしている。
【考案の概要】
【考案が解決しようとする課題】
【０００５】狭い玄関では靴箱などの収納建具を設置できないケースが多く、靴がたくさんある場合には玄関が靴だらけになってしまい、足の踏み場がなくなり、通行に支障を及ぼしている問題。【０００６】玄関に靴がたくさん置かれている状態は見る人にとって、玄関が片付けられていない印象を与え、玄関の美観を損ねる原因となっている問題。【０００７】靴の収納がスムーズに行えないことが、靴を収納すること自体を面倒と感じさせ、脱いだ靴をそのまま放置してしまう原因となっている問題。【０００８】上記を踏まえて、狭い玄関でも少ないスペースで靴を収納でき、かつスムーズに靴の出し入れができるような、靴ホルダーを提供する。
【課題を解決するための手段】
【０００９】本考案は壁などの鉛直面に取り付けるための靴ホルダーである。【００１０】本考案の本体は、柔軟性のある材質であり、平らで薄く、左右に長い形状を基本形状とする。【００１１】本考案の本体をＵ字形に歪曲させ、その両端部を画鋲やネジ・釘などの固定具を用いて、壁などの鉛直面に取り付けることで、本体Ｕ字形の下部に靴を乗せることができる形態となることを特徴とする。
【考案の効果】
【００１２】本考案の本体をＵ字形に歪曲させ、その両端部をネジなどの固定具を用いて、壁などの鉛直面に取り付けることにより、本体Ｕ字形の下部に靴底を鉛直面側に、かかとを下になるようにして靴を１足乗せることができる。【００１３】本考案は鉛直面に複数個を並べて取り付けることができるため、靴がたくさんある場合にも壁などに必要な分だけ取り付けられ、本考案を取付けた数だけ靴を乗せておくことができて、少ないスペースで靴を収納することができる。【００１４】本考案は壁などの鉛直面に複数個を並べて取り付けることができるため、靴がたくさんある場合にも、靴を本考案に乗せておけば、靴を鉛直面に並べて飾ってあるような状態となり、見た目にも楽しく、玄関の美観を損なわずに、靴を収納することができる。【００１５】本考案に靴を収納する方法は、まず脱いだ靴を揃えておき、その靴の靴底を鉛直面側、かかとを下になるようにして本考案の上に乗せるだけである。逆に靴を取り出す場合は、本考案に乗せてある靴を持ち上げるだけである。靴の出し入れ一連の動作を片手のみで行うことができる。【００１６】本考案を使用することで、靴の出し入れの一連の動作を片手のみで容易に行うことができて、使う人に靴の出し入れを面倒に感じさせず、さらに靴を並べて飾って置くという楽しさも与えることができるため、玄関に靴を脱いだまま放置してしまわないように行動を促すことができる。
【図面の簡単な説明】
【００１７】
【図１】本考案本体の平面図を示す。
【図２】本考案本体の正面図を示す。
【図３】本考案本体をＵ字形に歪曲させた状態の透視図を示す。
【図４】本考案本体をＵ字形に歪曲させ、その両端部をネジなどの固定具を使用して鉛直面に取り付けた状態を示す透視図。
【図５】鉛直面に取り付けた本考案に靴を乗せた状態を示す透視図。
【図６】鉛直面に取り付けた本考案に片手で靴を乗せている状態を示す透視図。
【図７】本考案を複数個、鉛直面に並べて取り付けた状態を示す透視図。
【考案を実施するための形態】
【００１８】本考案の本体は図１及び図２に示すように薄く平らで左右に長い形状を基本形状とする。
【００１９】図３に示すように本考案本体をＵ字形に歪曲させ、図４に示すように本考案の両端部をネジなどの固定具を使用して鉛直面に取り付けることにより、Ｕ字形の靴ホルダーの形態をなす。
【実施例１】
【００２０】図４に示すように、本考案本体の両端部を固定具を使用して鉛直面に固定させる。【００２１】図５に示すように、本考案のＵ字形の下部に靴底が鉛直面側、かかとが下になるようにして靴を乗せる。【００２２】本考案に靴を乗せる際には、図６に示すように靴を揃えた状態で手で持って乗せる。靴を取り出す場合にも手で持ち上げて取り出す。【００２３】靴がたくさんある場合には、図７に示すように、必要な数だけ鉛直面に本考案を並べて設置し、任意の場所に靴を乗せる。
【符号の説明】
【００２４】１  壁掛け式靴ホルダー本体
２  本体両端部
３  本体Ｕ字型下部
１１  画鋲・ネジ・釘などの固定具
２１  壁などの鉛直面
２２  靴
２３  手
【図１】
0003211732.tif 000003
【図２】
0003211732.tif 000004
【図３】
0003211732.tif 000005
【図４】
0003211732.tif 000006
【図５】
0003211732.tif 000007
【図６】
0003211732.tif 000008
【図７】
0003211732.tif 000009
(57)【要約】      （修正有）【課題】ゴルフカーから取り外すことなく、内部に入った細かいゴミを簡単に取り出すことが可能なダストボックスを提供する。【解決手段】ダストボックス１は、外袋１０と、外袋の内部に入れる内袋１１と、外袋の開口部と内袋の開口部を共に結束する結束部１２と、外袋の開口部近傍に設けられた、外部の支持棒に巻き付け可能な一対の着脱部１３と、を備える。【選択図】図１
0003211731.tif 000002
【実用新案登録請求の範囲】
【請求項１】
外袋と、
前記外袋の内部に入れる内袋と、
前記外袋の開口部と前記内袋の開口部を共に結束する結束部と、
前記外部の開口部近傍に設けられた、外部の支持棒に巻き付け可能な一対の着脱部と、
を備えるダストボックス。
【考案の詳細な説明】
【技術分野】
【０００１】  本考案は、ダストボックスに関する。
【背景技術】
【０００２】  従来より、ゴルフカー等に取り付けるごみ袋の技術は多種存在する。例えば、特開２０１５−２２４１３０号公報（特許文献１）には、刺し部位先端を理論先端仰角を、もたせた鋭利形状とし、刺し部位から上方に連結部位を形成して支持部位を作り、必要に応じて支持部位に取付部位を有し、連結部位または支持部位または取付部位を対向部位とし、対向間隙を理論対向間隙とし、ゴミ袋の口の一部を刺し部位に刺すゴミ袋ホルダーが開示されている。これにより、汚れ難く、清掃し易く、極薄の袋やサイズの小さい袋を含めた廃物の袋も使用でき、袋の装着は容易で、袋の開口は良好で、袋の取り外しは容易で、指を傷つける心配もなく、水切りの効果も高く、周辺の清掃の邪魔にもならない、コンパクトなゴミ袋ホルダーを提供することが出来るとしている。
【先行技術文献】
【特許文献】
【０００３】
【特許文献１】特開２０１５−２２４１３０号公報
【考案の概要】
【考案が解決しようとする課題】
【０００４】  従来、ゴルフカー等に取り付けるゴミ袋（ダストボックス）は、簡単な一重の袋であり、面ファスナーやベルトを用いてゴルフカーの枠体に取り付けられている。このようなダストボックスでは、ゴミを入れ、ダストボックスの内部にゴミが溜まると、そのゴミを取り出す必要があるが、その際に、細かいゴミも混合されている場合があり、ゴルフカーから取り外して、ダストボックスをひっくり返さないと、細かいゴミを取り出せないという課題がある。【０００５】  そこで、本考案は、前記課題を解決するためになされたものであり、ゴルフカーから取り外すことなく、内部に入った細かいゴミを簡単に取り出すことが可能なダストボックスを提供することを目的とする。
【課題を解決するための手段】
【０００６】  本考案は、外袋と、前記外袋の内部に入れる内袋と、前記外袋の開口部と前記内袋の開口部を共に結束する結束部と、前記外部の開口部近傍に設けられた一対の着脱部と、を備える。
【考案の効果】
【０００７】  本考案によれば、ゴルフカーから取り外すことなく、内部に入った細かいゴミを簡単に取り出すことが可能となる。
【図面の簡単な説明】
【０００８】
【図１】  本考案の実施形態に係るダストボックスの概要図である。
【図２】  本考案の実施形態に係るダストボックスの使用状態を示す斜視図である。
【考案を実施するための形態】
【０００９】  本考案に係るダストボックス１は、図１に示すように、外袋１０と、前記外袋１０の内部に入れる内袋１１と、前記外袋１０の開口部と前記内袋１１の開口部を共に結束する結束部１２と、前記外部１０の開口部近傍に設けられた、外部の支持棒に巻き付け可能な一対の着脱部１３と、を備える。
【００１０】  これにより、内袋１１は、結束部１２で外袋１０に結束されているだけであるため、図１に示すように、内袋１１のみを外部へ出すこと可能となる。そのため、着脱部１３でゴルフカーに取り付けた状態で、内袋１１のみを外部へ出すと、内袋１１の内部に溜まったゴミを簡単に外部に取り出すことが出来る。特に、ゴミが細かくても、同様に取り出すことが出来る。
【００１１】  ここで、結束部１２は、例えば、縫合糸である。一対の着脱部１３は、例えば、雄型の面ファスナーを外袋１０の開口部１０ａ近傍に設け、雌型の帯状の面ファスナーを、雄型の面ファスナーに対向させた状態で外袋１０の開口部近傍に設けることで、構成される。前記外袋１０の開口部と前記内袋１１の開口部との間には、輪状の枠体が挿入される。
【００１２】  又、内袋１１の開口部近傍に、内袋１１の開口部の開閉を可能とする一対の開閉部１４が設けられる。一対の開閉部１４は、例えば、雄型の面ファスナーを内袋１１の開口部近傍に設け、雌型の面ファスナーを、雄型の面ファスナーに対向させた状態で、着脱部１３の反対側の内袋１１の開口部近傍に設けることで、構成される。これにより、ダストボックス１を容易に開閉出来る。
【００１３】  尚、図２に示すように、本考案に係るダストボックス１は、一対の着脱部１３を介して、ゴルフカーの支持棒に取り付けられる。
【産業上の利用可能性】
【００１４】  以上のように、本考案に係るダストボックスは、ゴルフカー等に取り付けるダストボックスとして有用であり、ゴルフカーから取り外すことなく、内部に入った細かいゴミを簡単に取り出すことが可能なダストボックスとして有効である。
【符号の説明】
【００１５】    １  ダストボックス
１０  外袋
１１  内袋
１２  結束部
１３  一対の着脱部
１４  一対の開閉部
【図１】
0003211731.tif 000003
【図２】
0003211731.tif 000004
(57)【要約】      （修正有）【課題】袖まくり、腕まくりが面倒なく簡単に出来、ずり落ちることが無くなり、うっとうしい袖口がスッキリして、仕事に集中出来るカフスボタンを提供する。【解決手段】穴を有する球体と、ゴムひもと、２個の金属のリングとを備えたカフスボタンであって、ゴムひもの一端は、球体の穴に通された状態で抜けないように玉結びされており、ゴムひもの他端は、２個の金属のリングに通された後に先に通したリングに折り返し通された状態で玉縛りすることで輪を形成しており、球体を長袖シャツの袖口のボタン穴に通し、輪に長袖シャツの袖口のボタンを通すことで、長袖シャツの袖口のボタン穴とボタンをゴムひもで伸縮自在に連結可能であることを特徴とする。【選択図】図１
0003211711.tif 000002
【実用新案登録請求の範囲】
【請求項１】
長袖シャツの袖口のボタン穴とボタンをゴムひもで連結した、伸縮することを特徴とするカフスボタン。
【考案の詳細な説明】
【技術分野】
【０００１】  本考案は、従来に無かった伸縮みするカフスボタンを、長袖シャツの袖口ボタン穴とボタンに使用することで、簡単に袖をまくったり、簡単に腕まくりが出来、長袖シャツの袖口がスッキリと思い通りになります。
【背景技術】
【０００２】  従来から、長袖シャツを着用しての体温調整であったり、水仕事をする場合など理由を問わず、長袖シャツの袖をまくったり、腕まくりをする機会があるが、単純にボタンを外し、袖を折り曲げたり、２回、３回と折り曲げて腕まくりをしたりするだけである。
【考案の概要】
【考案が解決しようとする課題】
【０００３】  長袖シャツの袖をまくった場合、簡単に元に戻ったり、袖口がダブついたりしますが、元に戻らず、袖口もスッキリします。【０００４】  また、長袖シャツの袖をたくし上げたとしても、ズリ落ちしないようにします。【０００５】  また、通常は長袖シャツの袖を２回、３回と折り曲げて腕まくりをしていたが、非常に面倒な腕まくりが簡単に出来ます、さらに、ズリ落ちしません。
【課題を解決するための手段】
【０００６】  課題解決の使用方法は、カフスボタンの球体側を長袖シャツの袖口ボタン穴に通し、もう一方の輪になっている側の、輪の部分にボタンを通し輪をすぼめると、球体と輪の側はゴムひもで連結されるので、そのまま袖口をまくることが出来、元に戻ることはない。【０００７】  さらに、袖口をまくった状態で腕の肘までたくし上げると、腕まくりも面倒なく簡単に出来、元に戻ることはない。
【考案の効果】
【０００８】  サラリーマンの方や長袖シャツを着用する職場、男女問わず、袖まくり、腕まくりが面倒なく簡単に出来るので、うっとうしい袖口がスッキリして、仕事に集中出来ます。【０００９】  また、球体の色や形を変えたり、金属や石などの素材にこだわることで、お洒落にも活用出来ます。
【考案を実施するための形態】
【００１０】  カフスボタンは、０．８ｃｍ程度の球体に穴をあけ、そこに、太さ０．２ｃｍ程度のゴムひも１８ｃｍほどを通し、抜けないように玉結びをする。また反対側の、ゴムひもの先は輪を作る。
【００１１】  輪の側は、直径０．４ｃｍ程度の金属のリングを２個使用し、ゴムひもを２個とも通してから、先に通したリングにゴムひもを折り返し通して玉縛りすれば出来る。
【００１２】  なお、人それぞれの腕の太さに合わせ、ゴムひもの長さを調整出来る。
【００１３】  また、球体に高価な石や金などを使用すると、お洒落に使用できる。
【図面の簡単な説明】
【００１４】
【図１】  カフスボタンを、ビーズとゴムひもと金属リングで作成した図。
【図２】  カフスボタンを、使用して袖まくりをした図。
【図１】
0003211711.tif 000003
【図２】
0003211711.tif 000004
【手続補正書】
【提出日】平成29年5月14日(2017.5.14)
【手続補正１】
【補正対象書類名】実用新案登録請求の範囲
【補正対象項目名】全文
【補正方法】変更
【補正の内容】
【実用新案登録請求の範囲】
【請求項１】
穴を有する球体と、ゴムひもと、２個の金属のリングとを備えたカフスボタンであって、
前記ゴムひもの一端は、前記球体の前記穴に通された状態で抜けないように玉結びされており、
前記ゴムひもの他端は、前記２個の金属のリングに通された後に先に通したリングに折り返し通された状態で玉縛りすることで輪を形成しており、
前記球体を長袖シャツの袖口のボタン穴に通し、前記輪に長袖シャツの袖口のボタンを通すことで、長袖シャツの袖口のボタン穴とボタンを前記ゴムひもで伸縮自在に連結可能であることを特徴とするカフスボタン。
(57)【要約】      （修正有）【課題】骨による食感低下や喫食時のリスクを低減できると共に、魚のほぐし身と同等の形状を有し、具材としての見栄えが良い、魚肉具材を提供する。【解決手段】ペースト状の原料を加熱、成形してなり、魚肉及び調味料を含み、平行する二面が略平行四辺形の立体形状であって、略平行四辺形の一辺が５〜４０ｍｍ、厚み３が２〜２０ｍｍ、略平行四辺形の内角の１つ４が１０〜７０度である。【選択図】図１
0003211712.tif 000002
【実用新案登録請求の範囲】
【請求項１】
ペースト状の原料を加熱、成形してなり、
魚肉及び調味料を含み、
平行する二面が略平行四辺形の立体形状であって、略平行四辺形の一辺が５〜４０ｍｍ、厚みが２〜２０ｍｍ、略平行四辺形の内角が１０〜７０度である、
魚肉具材。
【請求項２】
色素を含む、請求項１記載の魚肉具材。
【請求項３】
魚肉が鮭である、請求項１又は２記載の魚肉具材。
【請求項４】
乾燥した具材である、請求項１〜３の何れか１項に記載の魚肉具材。
【考案の詳細な説明】
【技術分野】
【０００１】  本考案は、魚肉具材に関する。
【背景技術】
【０００２】  従来から、加工食品用の具材として、加熱調理した魚肉をほぐした身を使用した魚肉具材が知られているが、骨が混入し易いため、食感への影響や、喫食時に咽頭部を傷つける等のリスクがあった。【０００３】  食感への影響やリスクを避けるために、骨の除去や微細化が考えられるが、除去するためには手作業による選別が必要なため、煩雑な上、完全な除去は困難だった。また、混入した骨ごと身をペースト状にすることで骨を微細化できるが、身の形状を保てないため、具材としての見栄えが悪くなり、商品価値の低下が懸念されていた。
【考案の概要】
【考案が解決しようとする課題】
【０００４】  本考案は、骨による食感低下や喫食時のリスクを低減できると共に、魚のほぐし身と同等の形状を有し、具材としての見栄えが良い、魚肉具材を提供するものである。
【課題を解決するための手段】
【０００５】  本考案者は、上記課題を解決するために検討した結果、ペースト状の原料を用いると共に、製品形状を略平行四辺形に成形することで、具材として遜色ない外観を有する魚肉具材が製造できることを見出し、本発明に至った。【０００６】  すなわち、本考案は、以下の［１］〜［４］の態様に関する。
［１］ペースト状の原料を加熱、成形してなり、魚肉及び調味料を含み、平行する二面が略平行四辺形の立体形状であって、略平行四辺形の一辺が５〜４０ｍｍ、厚みが２〜２０ｍｍ、略平行四辺形の内角が１０〜７０度である、魚肉具材。
［２］色素を含む、［１］に記載の魚肉具材。
［３］魚肉が鮭である、［１］又は［２］記載の魚肉具材。
［４］乾燥した具材である、［１］〜［３］の何れかに記載の魚肉具材。
【考案の効果】
【０００７】  本考案の魚肉具材は、ペースト状の原料を使うことで、通常のほぐし身に混入する骨の食感への影響や、喫食時のリスクを抑えることができ、さらに、略平行四辺形状に成形することで、魚のほぐし身に近い形状を有し、魚肉具材として遜色ない外観を有する。
【図面の簡単な説明】
【０００８】
【図１】魚肉具材の模式図である。
【図２】魚肉具材の写真とスケール（目盛幅１ｍｍ）である。
【考案を実施するための形態】
【０００９】  本考案の魚肉具材は、魚肉を含んでいればよく、魚肉としては、例えば、鮭、鯛、タラ、グチ、イトヨリ等の魚肉を使用することができる。さらに、塩、糖類等の調味料を含んでいてもよく、色素、香料、保存料等を含んでいてもよい。
【００１０】  本考案では、ペースト状の原料を用いればよく、魚肉をペースト状にして用いてもよく、すり身等のペースト状の魚肉を原料として用いてもよい。原料はさらに調味料、色素、香料、保存料、卵、油脂等を含んでいてもよい。また、原料の加熱後に凝固できる範囲であれば、水を含んでいてもよい。
【００１１】  本考案は、平行する二面が略平行四辺形の立体形状である魚肉具材であればよく、例えば、ペースト状の原料を厚さ２〜２０ｍｍ、好ましくは２〜１０ｍｍのシート状にし、加熱して凝固させた後、本考案の形状に裁断機等でカットして成形することで製造できる。又は、ペースト状の原料を型に入れ、加熱して凝固させることで本考案の形状に成形してもよい。
【００１２】  本考案の形状は、略平行四辺形の一辺、つまり、模式図として示した図１の２が５〜４０ｍｍ、好ましくは５〜２０ｍｍで、厚み、つまり、模式図として示した図１の３が２〜２０ｍｍ、好ましくは２〜１０ｍｍであって、略平行四辺形の内角、つまり、模式図として示した図１の４が１０〜７０度である魚肉具材であればよい。
【００１３】  また、本考案の魚肉具材は、乾燥した乾燥魚肉具材であってもよく、熱風乾燥、凍結乾燥、マイクロ波乾燥等により得られる。
【００１４】  本考案の魚肉具材は、様々な食品に利用することができ、ご飯、麺類、サラダ等のトッピング（ふりかけ）、茶漬けの素、スープ等の具材としても利用できる。
【実施例】
【００１５】  以下、実施例を示して本発明を具体的に説明するが、本発明は以下の例によって限定されるものではない。【００１６】  鮭フィーレの皮を除去し、目開き２ｍｍのメッシュにて裏ごししてペースト状にした鮭ペースト１００重量部に対し、ベニコウジ色素１重量部、食塩５重量部、水４０重量部を加えて混合した。該ペースト状の混合物を厚さ５ｍｍのシート状にし、品温８０℃まで加熱した後、略平行四辺形の一辺が約１０ｍｍ、内角が約４５度になるようにカットし、魚肉具材とした。得られた魚肉具材の写真を図２に示した。【００１７】  得られた魚肉具材は、加熱調理した魚肉をほぐした身に近い形状であり、具材として遜色ない外観を有していた。また、喫食時に、骨等の異物感は感じられず、良好な食感だった。
【符号の説明】
【００１６】  １  魚肉具材
２  辺
３  厚み
４  内角
【図１】
0003211712.tif 000003
【図２】
0003211712.tif 000004
【手続補正書】
【提出日】平成29年5月18日(2017.5.18)
【手続補正１】
【補正対象書類名】実用新案登録請求の範囲
【補正対象項目名】全文
【補正方法】変更
【補正の内容】
【実用新案登録請求の範囲】
【請求項１】
ペースト状の原料を加熱、成形してなり、
魚肉及び調味料を含み、
平行する二面が略平行四辺形の立体形状であって、略平行四辺形の一辺が５〜４０ｍｍ、厚みが２〜２０ｍｍ、略平行四辺形の内角の１つが１０〜７０度である、
魚肉具材。
【請求項２】
色素を含む、請求項１記載の魚肉具材。
【請求項３】
魚肉が鮭である、請求項１又は２記載の魚肉具材。
【請求項４】
乾燥した具材である、請求項１〜３の何れか１項に記載の魚肉具材。
(57)【要約】      （修正有）【課題】外観をより美しいものとすることができるコインリングを提供する。【解決手段】古銭や外国通貨などを用いたコインリングであって、硬貨の外周縁部分を旋盤を用いて削り落してから製作することにより、均一な厚みを有して、仕上がり後の指輪の形状がより美しい平打ちのコインリングとなる。【選択図】図１
0003211709.tif 000002
【実用新案登録請求の範囲】
【請求項１】
硬貨（古銭・外国通貨）の外周部分の縁を旋盤を用いて切削し、厚みの均一な平面状態にしてから製作することを特徴とする、硬貨（古銭・外国硬貨）を用いた平打ちのコインリング。
【考案の詳細な説明】
【技術分野】
【０００１】本考案は、硬貨（古銭・外国通貨）の外周部分の縁を旋盤を用いて切削し、厚みの均一な平面状態にしてから製作することを特徴とする、硬貨（古銭・外国硬貨）を用いた平打ちのコインリングである。
【背景技術】
【０００２】従来、硬貨（古銭・外国硬貨）を用いてコインリングを製作する際には、中心に必要な径の穴をあけ、外周の縁部分には手を加えず製作していた。
【考案の概要】
【考案が解決しようとする課題】
【０００３】硬貨（古銭・外国硬貨）を用いて平打ちのコインリングを製作する際に外周の縁を残したまま加工をすると、中心部分にあけた穴部分と外周部に厚みの差が生じ、その厚みの差により硬度にも差が生じる。
すると元の硬貨の平面状態から円筒状へ加工する過程で縁側に抵抗がかかり、仕上がりの形状が幅の均等な円筒形にならない。
従って、硬貨の外周部分の縁を旋盤で削り落し、硬貨を均一な厚みの水平面にしてから加工することで前述の欠点を解決できる。
【課題を解決するための手段】
【０００４】硬貨（古銭・外国硬貨）を用いて平打ちのコインリングを製作する際に外周の縁を旋盤で削り落とし、硬貨を均一な厚みの水平面にしてから加工する。
【考案の効果】
【０００５】上述のように、本考案による指輪は、コインリングの外観をより美しいものとすることができる。
【図面の簡単な説明】
【０００６】
【図１】本考案を従来品の製作工程と比較しながら弊社の製作工程を示したものである。
【考案を実施するための形態】
【０００７】硬貨（古銭・外国硬貨）を用いて平打ちのコインリングを製作する際に硬貨の外周部分の縁を旋盤で削り落し、硬貨を均一な厚みの水平面にしてから加工することで、コインリングの外観をより美しいものとすることができる。
【実施例】
【０００８】１−１はコインリングの従来の製作工程、１−２は本考案の弊社のコインリングの製作工程を示す。
（１）は加工前の硬貨（古銭・外国硬貨）。（２）は旋盤にて外周縁を切削した状態を示す。
（１）→（２）で旋盤にて外周縁を削り落してから加工することで、（４）のような幅の均等な円筒形に仕上がり、指輪の上下で柄も均等に出る。
【符号の説明】
【０００９】１−１．硬貨の縁が残っている従来のコインリングの製作工程
１−２．旋盤を用いて硬貨の縁を切削して加工する弊社のコインリングの製作工程
（１）．加工前の硬貨（古銭・外国硬貨）
（２）．旋盤による外周縁切削後
（３）．絞り工程
（４）．完成形
【図１】
0003211709.tif 000003
【手続補正書】
【提出日】平成29年5月9日(2017.5.9)
【手続補正１】
【補正対象書類名】実用新案登録請求の範囲
【補正対象項目名】全文
【補正方法】変更
【補正の内容】
【実用新案登録請求の範囲】
【請求項１】
古銭や外国通貨などを用いたコインリングであって、外周部分の縁が切削され、均一な厚みを有する、平打ちのコインリング。
【手続補正２】
【補正対象書類名】明細書
【補正対象項目名】全文
【補正方法】変更
【補正の内容】
【考案の詳細な説明】
【技術分野】
【０００１】本考案は、古銭や外国硬貨などの硬貨の外周部分の縁を切削し、厚みの均一な平面状態にしてから製作することを特徴とする、古銭や外国硬貨などの硬貨を用いた平打ちのコインリングである。
【背景技術】
【０００２】従来、古銭や外国硬貨などの硬貨を用いてコインリングを製作する際には、中心に必要な径の穴をあけ、外周の縁部分には手を加えず製作していた。
【考案の概要】
【考案が解決しようとする課題】
【０００３】古銭や外国硬貨などの硬貨を用いて平打ちのコインリングを製作する際に外周の縁を残したまま加工をすると、中心部分にあけた穴部分と外周部に厚みの差が生じ、その厚みの差により硬度にも差が生じる。
すると元の硬貨の平面状態から円筒状へ加工する過程で縁側に抵抗がかかり、仕上がりの形状が幅の均等な円筒形にならない。
従って、硬貨の外周部分の縁を削り落し、硬貨を均一な厚みの水平面にしてから加工することで前述の欠点を解決できる。
【課題を解決するための手段】
【０００４】古銭や外国硬貨などの硬貨を用いて平打ちのコインリングを製作する際に外周の縁を削り落とし、硬貨を均一な厚みの水平面にしてから加工する。
【考案の効果】
【０００５】上述のように、本考案による指輪は、コインリングの外観をより美しいものとすることができる。
【図面の簡単な説明】
【０００６】
【図１】本考案を従来品の製作工程と比較しながら弊社の製作工程を示したものである。
【考案を実施するための形態】
【０００７】古銭や外国硬貨などの硬貨を用いて平打ちのコインリングを製作する際に硬貨の外周部分の縁を削り落し、硬貨を均一な厚みの水平面にしてから加工することで、コインリングの外観をより美しいものとすることができる。
【実施例】
【０００８】１−１はコインリングの従来の製作工程、１−２は本考案の弊社のコインリングの製作工程を示す。
（１）は加工前の古銭や外国硬貨などの硬貨。（２）外周縁を切削した状態を示す。
（１）→（２）外周縁を削り落してから加工することで、（４）のような幅の均等な円筒形に仕上がり、指輪の上下で柄も均等に出る。
【符号の説明】
【０００９】１−１．硬貨の縁が残っている従来のコインリングの製作工程
１−２．硬貨の縁を切削して加工する弊社のコインリングの製作工程
（１）．加工前の古銭や外国硬貨などの硬貨
（２）．外周縁切削後
（３）．絞り工程
（４）．完成形
【手続補正３】
【補正対象書類名】図面
【補正対象項目名】全図
【補正方法】変更
【補正の内容】
【図１】
0003211709.tif 000004
【事件の表示】
　平成８年商標登録願第９３６３６号拒絶査定に対する審判事件について、次のとおり審決する。
【結　論】
　原査定を取り消す。
　本願商標は、登録すべきものとする。
【理　由】
　本願商標は、願書に添付された商標を表示した書面に示すとおりの構成よりなり、平成８年８月２３日に登録出願、指定商品については願書記載の指定商品を当審において「アメリカ合衆国製のウイスキー」に補正しているものである。
　これに対し、原査定は「商標法第４条第１項第１６号に該当する」として拒絶したものである。
　しかしながら、上記補正の結果、本願商標をその指定商品に使用しても商品の品質について誤認を生ずるおそれくなくなったものである。
　してみれば、本願商標に対する原査定の拒絶の理由は解消した。
　その他、本願商標を拒絶をすべき理由を発見しない。
　よって、結論のとおり審決する。
【事件の表示】
　平成　６年商標登録願第　５９７８０号拒絶査定に対する審判事件について、次のとおり審決する。
【結　論】
　原査定を取り消す。
　本願商標は、登録すべきものとする。
【理　由】
　本願商標は、「ＪＡＤＹ」の欧文字と「ジャディ」の片仮名文字を上下二段に横書きしてなり、第１６類「印刷物」を指定商品として、平成　６年　６月１５日登録出願されたものである。
　これに対し、登録異議の申立てがあった結果、原査定が拒絶の理由に引用した登録第１９６２８１２号商標は、楕円形内に「Ｓｈａｄｄｙ」の欧文字を横書きし、その下に「シャディ」の片仮名文字を横書きしてなり、昭和５７年１２月２０日登録出願、第２６類「書画、その他本類に属する商品」を指定商品として、同６２年６月１６日登録されたものであり、同じく引用した登録第２６９５５３８号商標は、「シャディ」の片仮名文字を横書きしてなり、平成３年１１月２１日登録出願、第２６類「印刷物、その他本類に属する商品」を指定商品として、同６年９月３０日登録されたものである。
　そこで、本願商標と前記引用の両商標（以下「引用各商標」という。）を比較すると、本願商標は、「ジャディ」と称呼され、引用各商標は、いずれも「シャディ」と称呼されるものと認められる。そして、「ジャディ」と「シャディ」の称呼は、短く簡潔な称呼であって、印象に強い語頭音における「ジャ」と「シャ」の音の違いにより語感が異なり、明瞭に聞き分けられ紛らわしいとはいえないから、本願商標と引用各商標は、称呼上類似しない商標というのが相当である。　
　また、本願商標と引用各商標は、外観及び観念において格別紛らわしいところがあるとも認められない。
　さらに、引用各商標が、フランチャイズシステムのカタログ販売の営業に使用して相当程度知られている標章であることを考慮しても、本願商標は、引用各商標と混同を生ずるおそれないと認められるから、引用各商標と類似しない商標といわなければならない。
　したがって、本願商標は、引用各商標と称呼上類似するとし、商標法第４条第１項第１１号に該当するとした原査定の拒絶の理由は妥当でなく、原査定は、取り消しを免れない。
　その他、本願について拒絶をすべき理由を発見しない。
　よって、結論のとおり審決する。
【事件の表示】
　平成　９年商標登録願第１７１６０３号拒絶査定に対する審判事件について、次のとおり審決する。
【結　論】
　原査定を取り消す。
　本願商標は、登録すべきものとする。
【理　由】
　本願商標は、標準文字を指定して平成９年10月29日登録出願、「Ａ・ＧＡＴＥＳ」の欧文字を横書きしてなり、第９類「電子応用機械器具及びその部品」及び第42類「電子計算機のプログラムの設計・作成又は保守」を指定商品又は指定役務とするものである。
　そして、原査定において、本願商標の拒絶の理由に引用した登録商標の商標権は、商標登録原簿の記載に徴すれば、指定商品の一部について取り消すべき旨の審決があり、その確定登録がなされているものである。
　その結果、本願商標の指定商品と、原査定が拒絶の理由に引用した登録商標の指定商品とは類似しないものとなったから、本願商標は、商標法第４条第１項第１１号に該当するとの原査定の理由は解消した。
　その他、本願を拒絶すべき理由を発見しない。
　よって、結論のとおり審決する。
【事件の表示】
　平成　８年商標登録願第１０３３０３号拒絶査定に対する審判事件について、次のとおり審決する。
【結　論】
　原査定を取り消す。
　本願商標は、登録すべきものとする。
【理　由】
　本願商標は、願書に添付された商標を表示した書面に示すとおりの構成よりなり、平成８年９月12日登録出願、指定商品については、当審において、同12年３月16日付手続補正書によって、「理化学機械器具，測定機械器具，写真機械器具，映画機械器具，光学機械器具，加工ガラス（建築用のものを除く。）」と補正しているものである。
　そして、その補正の結果、本願商標の指定商品は、原査定において引用した登録商標の指定商品と同一又は類似の商品はすべて削除されたものと認められる。
　してみれば、本願商標は、商標法第４条第１項第１１号に該当しないものとなった。
　その他、本願について拒絶をすべき理由を発見しない。
　よって、結論のとおり審決する。
【事件の表示】
　上記当事者間の登録第２６８８８００号商標の登録取消審判事件について、次のとおり審決する。
【結　論】
　本件審判の請求は、成り立たない。
　審判費用は、請求人の負担とする。
【理　由】
１　本件商標
　本件登録第２６８８８００号商標（以下、「本件商標」という。）は、昭和６０年２月１８日に登録出願され、「ＯＲＩＭ　ＶＥＸＴＡ」の文字を横書きしてなり、第１１類「電気機械器具、電気通信機械器具、電子応用機械器具（医療機械器具に属するものを除く）　電気材料」を指定商品として、平成６年７月２９日に設定登録されたものである。
　
２　請求人の主張
　請求人は、本件商標の指定商品中「電気通信機械器具、電子応用機械器具及びその部品」についての登録を取り消す、審判費用は被請求人の負担とする、との審決を求め、その理由を次のように述べている。
　請求人が調査したところ、本件商標は、上記の商品について、商標権者によって継続して３年以上、日本国内において使用されていないものである。また、商標登録原簿には専用使用権及び通常使用権の設定登録がなく、使用権者が存在するとも思われない。
　したがって、本件商標の指定商品中、上記商品についての登録は、商標法第５０条第１項の規定により取り消されるべきである。
　
３　被請求人の答弁
　被請求人は、以下のように答弁し、その理由を次のように述べ、証拠方法として乙第１号証ないし乙第４号証を提出した。
（１）　本件商標「ＯＲＩＭ　ＶＥＸＴＡ」は、「ビジュアルモーションプログラミングツールＥＰＯに関するカタログ」（乙第１号証）に掲載されたＣＤ−ＲＯＭに商標として用いられている。このＣＤ−ＲＯＭは、電子計算機用プログラムを記憶させた磁気ディスクであり、上記「電子応用機械器具及びその部品」の範ちゅうに属する。
　上記カタログは、１９９７年１０月に作成されたものであり、１９９７年１０月から１９９８年１２月に至るまでの間、上記ＣＤ−ＲＯＭの販売に並行して、一般に配布されている。この事実は、乙第１号証の１，２および３にカタログと共に綴じられた証明書によって立証する。
（２）　上記カタログは、件外オリムベクスタ株式会社によって配布された。
　オリムベクスタ株式会社（以下オリム社という）と被請求人であるオリエンタルモーター株式会社（以下オリエンタル社という）は、別法人である。しかし、オリム社は、オリエンタル社が１００％出資した子会社であり、商法上、オリエンタル社と一体をなしている。この事実は、平成１０年５月１１日付、オリエンタルモーター株式会社の「監査報告書」に添付された第４９期営業報告書、附属明細書の第７項「子会社に対する出資の明細及び各子会社が有する会社の株式の数」の欄の記載によると、オリエンタル社の出資額と所有株式に対し、オリム社の所有株式はゼロであり、このことから、オリム社がオリエンタル社の１００％出資子会社であることが明らかである（乙第２号証参照）。
　また、乙第１号証「カタログ」に掲載されているように、『オリムベクスタは、オリエンタルモーターの制御モーターを専門に担当するオリエンタルモーター株式会社のグループ企業』である。このことは、別の「カタログ」（乙第３号証）にも記述されており、また、オリム社の会社概要（乙第４号証）によれば、同社は、営業目的として、オリエンタル社のモーターのメータル制御システムなどの提供を行っている。
（３）　このように、本件商標は、オリムベクスタ株式会社を介して、実質的に、オリエンタルモーター株式会社によって少くとも「電子応用機械器具及びその部品」について、使用されていたものであり、本件商標が、商標法第５０条の規定に該当することはないものである。
　よって、答弁の趣旨どおりの審決を求めるものである。
　
４　当審の判断
　本件審判において被請求人より提出された乙第１号証の１に添付の商品カタログについてみるに、これは、「ビシュアル　モーション　プログラミング　ツールＥＰＯ」と題する被請求人（商標権者）と通常使用権者の関係にあると認め得る「オリムベクスタ株式会社」の発行に係る商品カタログ（カラー）と認められるところ、このカタログの表紙右上には本件商標と同一と認められる商標が表示されており、その中頁に「コンピュータ用プログラムを記憶させたＣＤ‐ＲＯＭディスク」が写真で掲載されていて、そのＣＤ‐ＲＯＭディスクにも本件商標とほぼ同一と認められる商標が表示されていることが認められる。また、カタログの裏表紙の右下にこのカタログが１９９７年１０月に作成したものであることが記載されている。
　そして、上記の使用に係る商品「コンピュータ用プログラムを記憶させたＣＤ‐ＲＯＭディスク」は「電子応用機械器具及びその部品」に属する商品と認められるものである。
　してみれば、本件商標は、本件審判請求の登録前３年以内に日本国内において通常使用権者により本件審判の請求に係る商品について使用されていたことが認められる。
　したがって、本件商標は、商標法第５０条の規定により、指定商品中の「電気通信機械器具、電子応用機械器具及びその部品」の登録を取り消すべき限りでない。　　
　よって、結論のとおり審決する。